(57)【要約】【課題】身頃部に薄編地の構成を残して、ずり上がることのないローウエスト型ガードルを提供する。【解決手段】身頃部２，３が表糸１４と芯糸１５の薄編地Ｏｋにて構成されるローウエスト型ガードル１において、身頃部２，３の両脇外側Ｏｔの一部に縦方向の厚編地Ｔｋを編成し、該厚編地Ｔｋが表糸１４と芯糸１５と補強糸１３からなり、補強糸１３を厚編地Ｔｋの両端で切断Ｃｔするようにしたローウエスト型ガードル１と、また身頃部が表糸と芯糸の薄編地にて構成されるローウエスト型ガードルにおいて、身頃部の両内側の一部に縦方向の厚編地を編成し、該厚編地が表糸と芯糸と補強糸からなり、補強糸を厚編地の両端で切断するようにしたローウエスト型ガードルを構成するものである。【選択図】　　　図１
2004060076.tif 000002
【特許請求の範囲】
【請求項１】
身頃部が表糸と芯糸の薄編地にて構成されるローウエスト型ガードルにおいて、身頃部の両脇外側の一部に縦方向の厚編地を編成し、該厚編地が表糸と芯糸と補強糸からなり、補強糸を厚編地の両端で切断するようにしたことを特徴とするローウエスト型ガードル。
【請求項２】
身頃部が表糸と芯糸の薄編地にて構成されるローウエスト型ガードルにおいて、身頃部の両内側の一部に縦方向の厚編地を編成し、該厚編地が表糸と芯糸と補強糸からなり、補強糸を厚編地の両端で切断するようにしたことを特徴とするローウエスト型ガードル。
【請求項３】
縦方向の厚編地が、身頃部の円周長さの１／５〜１／４幅である請求項１または２記載のローウエスト型ガードル。
【請求項４】
補強糸が、ポリウレタン弾性糸にナイロン糸をカバリングした４０デニール以上の太番手のカバリングヤーン糸からなる請求項１乃至請求項３のいずれかに記載のローウエスト型ガードル。
【請求項５】
ローウエスト型ガードルが、１分丈・３分丈・５分丈の膝から上のガードルである請求項１乃至請求項４のいずれかに記載のローウエスト型ガードル。
【発明の詳細な説明】
【０００１】
【発明の属する技術分野】
本発明は、ローウエスト型ガードルに係り、更に詳しくは、身頃部の薄編地が捲れ上るのを防止するようにしたローウエスト型ガードルに関するものである。
【０００２】
【従来の技術】
腹部を押さえて美しい体型線に現出させるための婦人用ガードルは、ローウエスト型の短いものと、もっと丈の長いファンデ−ションロング型とがある。本発明は、１分丈・３分丈・５分丈ガードルからなる膝から上のローウエスト型ガードルに関するものである。
【０００３】
また本発明は、先に出願した特開２０００−３４５４０７のガードル等のファンデ−ションのうち、ローウエスト型ガードルの改良に関するものである。
【０００４】
ガードルは、腹部を厚編地にして押さえるようにしているが、身頃部は表糸と芯糸の編糸のみからなる薄編地で構成している。ＰＳ編機で編成されるミドルサポ−トまたはハ−ドサポ−ト系のガードルは、殆どがナイロン糸とポリウレタン弾性糸の編糸からなっている。従って、身頃部の薄編地は非常に滑りやすい。そのためローウエスト型ガードルは、着用時に太股の筋肉の動きによって、ヘム部分がずり上がってしまうことが欠点となっている。
【０００５】
【発明が解決しようとする課題】
上記の事情に鑑み、本発明は、身頃部に薄編地の構成を残して、ずり上がることのないローウエスト型ガードルの提供を課題とする。
【０００６】
【課題を解決するための手段】
本発明は上記目的を達成するために、身頃部が表糸と芯糸の薄編地にて構成されるローウエスト型ガードルにおいて、身頃部の両脇外側の一部に縦方向の厚編地を編成し、該厚編地が表糸と芯糸と補強糸からなり、補強糸を厚編地の両端で切断するようにしたローウエスト型ガードルを構成するものである。
【０００７】
また本発明は、身頃部が表糸と芯糸の薄編地にて構成されるローウエスト型ガードルにおいて、身頃部の両内側の一部に縦方向の厚編地を編成し、該厚編地が表糸と芯糸と補強糸からなり、補強糸を厚編地の両端で切断するようにしたローウエスト型ガードルを構成するものである。
【０００８】
【発明の実施の態様】
以下、本発明の実施例を図面に基づいて詳しく説明する。図１は、本発明のローウエスト型ガードルの一実施例を示す平面図、図２は、図１のガードルの背面図、図３は、図１のガードルを裏返えした状態の右側面図である。図４は、本発明のローウエスト型ガードルの他の実施例を示す平面図、図５は、本発明の厚編地の一実施例を示す組織図、図６は、人体腹部の筋肉を示す説明図である。
【０００９】
先ず図１，２，３の一実施例と、図５の組織図と、図６の人体腹部の筋肉について説明する。本発明のローウエスト型ガードル１において、ローウエスト型ガードルとは、１分丈・３分丈・５分丈ガードルの膝から上の短いものである。またガードルとは、女性美を表現する体型のウエスト・ヒップを整えるために用いる下着である。
【００１０】
図１のローウエスト型ガードル１は、５分丈のガードルを示している。本発明のガードルには、もっと丈の長い７分丈ガードル等の膝下まであるファンデ−ションロング型や、ガードル付きパンティストッキングは含まれないが、短いショ−ツ型ガードルは本発明の中に含まれる。
【００１１】
第１実施例のローウエスト型ガードル１は、メリヤス編機を使用して、上下に跨がる両身頃部２，３と、天部４と、襠５とを夫々編成し、これを縫製したもので、６，７，８はその各縫合線を示している。なお左右の身頃部２，３は、下のゴム編組織になっているヘム部９より編成されるが、このヘム部９はメ−クアップ編成にてダブルウエルト（袋編）になっている。天部４はゴム糸を挿通した締付組織になっており、これを二重にして縫製している。
【００１２】
ガードル１の両身頃部２，３と両尻中央部２０，２０と襠５とは、図５の表糸１４と芯糸１５からなる普通の薄編地Ｄｋにて構成されている。また図１の前面Ｆ１　の腹部Ｂｅの中央部１０，１０と、図２の背面Ｂ１　の尻部Ｈｉの周辺部１１，１１と、前面Ｆ１　から背面Ｂ１　に亘る両脇Ｗｅ，Ｗｅのウエスト部１２，１２の編地には、表糸１４と芯糸１５に補強糸１３を追加して三本で編成され、普通の薄編地Ｏｋとは異なり、厚編地Ｔｋを構成している。
【００１３】
しかも本発明の第１実施例では、身頃部２，３の両脇外側Ｏｔ，Ｏｔの一部にも縦方向の厚編地Ｔｋを編成している。この厚編地Ｔｋも、図５の表糸１４と芯糸１５と補強糸１３からなっており、補強糸１３を厚編地Ｔｋの両端で切断Ｃｔしている。本発明のガードル１は、このことによって、捲れ上がりを防止している。
【００１４】
本実施例では、身頃部２，３の円周の長さＣｉは、平均で２８ｃｍ程度である。これに対し縦方向の厚編地Ｔｋの幅Ｗｉは６ｃｍにしている。即ち、縦方向の厚編地Ｔｋの幅Ｗｉは、身頃部２，３の円周の長さＣｉの１／５〜１／４の幅であることが望ましい。
【００１５】
この糸使いとしては表糸１４の場合、ナイロンの３０デニール双糸か、ナイロンの４０デニール双糸か、綿８０番手／ナイロン３０デニールの混紡糸等が使用される。また芯糸１５には、１４０デニールのポリウレタン弾性糸に１２デニールのナイロン糸を二回カバリングしたダブルカバリングヤーン（ＤＣＹ）の編糸等が使用される。そして本発明の補強糸１３には、７０デニールのポリウレタン弾性糸に７０デニールのナイロン糸をカバリングしたシングルカバリングヤーン（ＳＣＹ）の編糸からなるサポ−ト糸等が使用される。
【００１６】
そして、本発明に使用される補強糸１３は、カバリング糸からなり、そのカバリング糸は、ポリウレタン弾性糸に対して１２デニール乃至３０デニール程度の通常の細いものではなく、４０デニール以上の太いサポ−ト糸であることが好ましい。そして補強糸１３は、裏面で厚編地Ｔｋの両端にて図３，図５に示すように切断Ｃｔされる。
【００１７】
その他の構成も、参考にあげておく。図６は、人体腹部Ｂｅから両脚Ｌｅ，Ｌｅの一部に至る筋肉を説明したものであるが、外腹斜筋１６と腹直筋１７とからなっている。即ち図１の前面腹部の中央部１０，１０は、この腹直筋１７に副った逆ハの字状の下面を有する菱形にすることが好ましく、腹部Ｂｅの中心になって一番出っ張りやすい部分である。
【００１８】
また前面Ｆ１　から背面Ｂ１　に亘る両脇Ｗｅ，Ｗｅの図１のウエスト部１２，１２も、締め付けて体型を整えるべき箇所である。そして、図２の背面Ｂ１　の尻部Ｈｉは、周辺部１１，１１も押し上げるようにしてヒップアップすべき箇所である。この尻部Ｈｉの周辺部１１，１１は、図２に示すように背骨Ｂｂで左右に二分割された各Ｃの字状であることが好ましい。
【００１９】
以上の図１，図２及び図３からなる一実施例のガードル１は、次の柄編組織からなっている。図６の腹直筋１７に副って下面が逆ハの字状の菱形からなる前面Ｆ１　の上部に位置する腹部中央部１０，１０と、背面Ｂ１　の背骨Ｂｂの逆三角形状の図２の中心上部１８，１８は、粗い格子柄組織の厚編地Ｔｋにして、伸びを強く抑制している。次に腹部中央部１０，１０の下部から図２の両身頃上部３ａ，２ａ周りと、両脇ウエスト部１２，１２から背面中央部１８，１８の下部１９，１９から尻部の外輪周辺部１１，１１は、粗い平編組織の厚編地Ｔｋにして、適度の締め付けとヒップアップ効果を付与している。
【００２０】
これに対して図１，２の両身頃下部２ｂ，３ｂと、両尻中央部２０，２０と、襠５は薄い平編組織の普通の薄編地Ｏｋにして伸びやすくしている。なお尻中央部２０，２０と外輪周辺部１１，１１との、図２の中間リング状部２１，２１には、粗い平編組織の薄編地Ｏｋにして、段差の生じないようにしている。従って厚編地Ｔｋから薄編地Ｏｋに至る両端では、裏面で同じく補強糸１３を切断Ｃｔするようにしている。
【００２１】
次の図４は、本発明のローウエスト型ガードルの第２実施例を示す。ガードル１０１は、同じく５分丈のガードルを示している。第２実施例のローウエスト型ガードル１は、上下に跨がる両身頃部１０２，１０３と、天部１０４と、襠１０５とを夫々編成し、これを縫製したもので、１０６，１０７，１０８はその各縫合線を示している。なお左右の身頃部１０２，１０３は、下のゴム編組織になっているヘム部１０９より編成される。
【００２２】
ガードル１０１の両身頃部１０２，１０３と襠１０５は、図５の表糸１４と芯糸１５からなる普通の薄編地Ｄｋにて構成されている。また図５の前面Ｆ１　の腹部Ｂｅの中央部１１０，１１０と、図２と同様に、背面Ｂ１　の尻部Ｈｉの周辺部と、前面Ｆ１　から背面Ｂ１　に亘る両脇Ｗｅ，Ｗｅのウエスト部１２０，１２０の編地には、表糸１４と芯糸１５に補強糸１３を追加して三本で編成され、普通の薄編地Ｏｋとは異なり、厚編地Ｔｋを構成している。
【００２３】
そして本発明の第２実施例では、身頃部１０２，１０３の両内側Ｉｎ，Ｉｎの一部にも縦方向の厚編地Ｔｋを編成している。この厚編地Ｔｋも、図５の表糸１４と芯糸１５と補強糸１３からなっており、補強糸１３を厚編地Ｔｋの両端で切断Ｃｔしている。本発明のガードル１０１は、このことによって、捲れ上がりを防止している。その他の条件は、実施例１と同様である。
【００２４】
【発明の効果】
本発明のローウエスト型ガードルは、身頃部に薄編地の構成を残して、ずり上がる欠点を解消させることができた。
【００２５】
本発明のガードルは、一部の編組織に変化を持たせるだけにしたので、肌にやさしく、違和感もなく、破れや刺激を与えることもなく、安価に仕上げることができた。
【図面の簡単な説明】
【図１】本発明のローウエスト型ガードルの一実施例を示す平面図である。
【図２】図１のガードルの背面図である。
【図３】図１のガードルを裏返えした状態の右側面図である。
【図４】本発明のローウエスト型ガードルの別な実施例を示す平面図である。
【図５】本発明の厚編地の一実施例を示す組織図である。
【図６】人体腹部の筋肉を示す説明図である。
【符号の説明】
１，１０１　　　　　　　　　　　　　ローウエスト型ガードル
２，３，１０２，１０３　　　　　　　身頃部
２ａ，３ａ　　　　　　　　　　　　　身頃上部
２ｂ，３ｂ　　　　　　　　　　　　　身頃下部
４　　　　　　　　　　　　　　　　　天部
５，１０５　　　　　　　　　　　　　襠
６，７，８，１０６，１０７，１０８　縫合線
９，１０９　　　　　　　　　　　　　ヘム部
１０　　　　　　　　　　　　　　　　腹部の中央部
１１　　　　　　　　　　　　　　　　尻部の周辺部
１２　　　　　　　　　　　　　　　　ウエスト部
１３　　　　　　　　　　　　　　　　補強糸
１４　　　　　　　　　　　　　　　　表糸
１５　　　　　　　　　　　　　　　　芯糸
１６　　　　　　　　　　　　　　　　外腹斜筋
１７　　　　　　　　　　　　　　　　腹直筋
１８　　　　　　　　　　　　　　　　背面の中心上部
１９　　　　　　　　　　　　　　　　背面の中心下部
２０　　　　　　　　　　　　　　　　両尻中央部
Ｂ１　　　　　　　　　　　　　　　　　背面
Ｂｂ　　　　　　　　　　　　　　　　背骨
Ｂｅ　　　　　　　　　　　　　　　　腹部
Ｃｉ　　　　　　　　　　　　　　　　身頃部の円周の長さ
Ｃｔ　　　　　　　　　　　　　　　　補強糸の切断面
Ｆ１　　　　　　　　　　　　　　　　　前面
Ｈｉ　　　　　　　　　　　　　　　　尻部
Ｉｎ　　　　　　　　　　　　　　　　身頃の内側
Ｌｅ　　　　　　　　　　　　　　　　両脚
Ｏｋ　　　　　　　　　　　　　　　　薄編地
Ｏｔ　　　　　　　　　　　　　　　　身頃の脇外側
Ｔｋ　　　　　　　　　　　　　　　　厚編地
Ｗｉ　　　　　　　　　　　　　　　　身頃の内外に設けられる厚編地の幅
Ｗｅ　　　　　　　　　　　　　　　　両脇
【図１】
2004060076.tif 000003
【図２】
2004060076.tif 000004
【図３】
2004060076.tif 000005
【図４】
2004060076.tif 000006
【図５】
2004060076.tif 000007
【図６】
2004060076.tif 000008